(57)【要約】【課題】一時識別体に対し、管理領域へ一時的に入る権限を容易に与えることができる入退室システムを提供する。【解決手段】入退室システムは、管理領域の外側に設けられた入側識別装置と、前記管理領域の入口に設けられた扉の錠が解かれている際に前記入側識別装置が識別した一時識別体に対し、前記管理領域へ入る権限を一時的に与える制御部と、を備えた。当該構成によれば、一時識別体に対し、管理領域へ一時的に入る権限を予め与えておく必要がない。このため、一時識別体に対し、管理領域へ一時的に入る権限を容易に与えることができる。【選択図】図２
2015114697.tif 000002
【特許請求の範囲】
【請求項１】
管理領域の外側に設けられた入側識別装置と、
前記管理領域の入口に設けられた扉の錠が解かれている際に前記入側識別装置が識別した一時識別体に対し、前記管理領域へ入る権限を一時的に与える制御部と、
を備えた入退室システム。
【請求項２】
前記制御部は、前記入側識別装置が前記一時識別体とは異なる正規識別体を識別したことにより前記錠が一時的に解かれている際に前記入側識別装置が識別した一時識別体に対し、前記管理領域へ入る権限を一時的に与える請求項１に記載の入退室システム。
【請求項３】
前記制御部は、遠隔操作により前記錠が一時的に解かれている際に前記入側識別装置が識別した一時識別体に対し、前記管理領域へ入る権限を一時的に与える請求項１又は請求項２に記載の入退室システム。
【請求項４】
前記管理領域の内側に設けられた出側識別装置、
を備え、
前記制御部は、前記管理領域へ入る権限を一時的に与えられた一時識別体が前記出側識別装置により識別された際に、当該一時識別体に対する当該権限を取り消す請求項１から請求項３のいずれか一項に記載の入退室システム。
【請求項５】
前記制御部は、前記管理領域へ入る権限を一時的に与えられた一時識別体が前記出側識別装置により識別された際に前記錠を解いた後、前記錠が解かれている際に当該一時識別体が前記入側識別装置に識別された場合に、当該一時識別体に対し、前記管理領域へ入る権限を一時的に与える請求項４に記載の入退室システム。
【請求項６】
前記制御部は、一時識別体に対し前記管理領域へ入る権限が一時的に与えられてから予め設定された時間が経過した際に、当該一時識別体に対する当該権限を取り消す請求項１から請求項５のいずれか一項に記載の入退室システム。
【発明の詳細な説明】
【技術分野】
【０００１】
この発明は、入退室システムに関する。
【背景技術】
【０００２】
特許文献１には、入退室システムが記載されている。当該入退室システムは、管理領域に対し利用者の入退室を管理する。この際、訪問者等の一時利用者は、一時識別体を所有する。当該一時識別体には、管理領域へ一時的に入る権限が予め与えられる。その結果、一時利用者は、一時的に管理領域に入ることができる。
【先行技術文献】
【特許文献】
【０００３】
【特許文献１】特開２００９−９８７８０号公報
【特許文献２】特開２０１０−１０８３４８号公報
【特許文献３】特開２００８−９７２０７号公報
【特許文献４】特開２００８−５７３１５号公報
【発明の概要】
【発明が解決しようとする課題】
【０００４】
しかしながら、当該入退室システムにおいては、一時識別体に対し、管理領域へ一時的に入る権限を予め与えておく必要がある。このため、管理領域へ一時的に入る権限の設定作業が必要となる。
【０００５】
この発明は、上述の課題を解決するためになされた。この発明の目的は、一時識別体に対し、管理領域へ一時的に入る権限を容易に与えることができる入退室システムを提供することである。
【課題を解決するための手段】
【０００６】
この発明に係る入退室システムは、管理領域の外側に設けられた入側識別装置と、前記管理領域の入口に設けられた扉の錠が解かれている際に前記入側識別装置が識別した一時識別体に対し、前記管理領域へ入る権限を一時的に与える制御部と、を備えた。
【発明の効果】
【０００７】
この発明によれば、錠が解かれている際に入側識別装置が識別した一時識別体に対し、管理領域へ入る権限が一時的に与えられる。このため、一時識別体に対し、管理領域へ一時的に入る権限を容易に与えることができる。
【図面の簡単な説明】
【０００８】
【図１】この発明の実施の形態１における入退室システムを適用する管理領域の模式図である。
【図２】この発明の実施の形態１における入退室システムの構成図である。
【図３】この発明の実施の形態１における入退室システムに用いる一時カードデータを説明するための図である。
【図４】この発明の実施の形態１における入退室システムの動作を説明するためのフローチャートである。
【図５】この発明の実施の形態１における入退室システムの動作を説明するためのフローチャートである。
【図６】この発明の実施の形態１における入退室システムの動作を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における入退室システムを適用する管理領域の模式図である。
【００１１】
図１の管理領域１においては、利用者の入退室が管理される。例えば、管理領域１は、部屋である。管理領域１には、出入口２が設けられる。出入口２には、扉３が設けられる。扉３には、電気錠４が設けられる。
【００１２】
管理領域１の外側には、入側識別装置が設けられる。例えば、入側識別装置は、入側カードリーダ５ａからなる。入側カードリーダ５ａは、出入口２の近傍に設けられる。管理領域１の内側には、出側識別装置が設けられる。例えば、出側識別装置は、出側カードリーダ５ｂからなる。出側カードリーダ５ｂは、出入口２の近傍に設けられる。
【００１３】
正規利用者６は、正規識別体を携帯する。例えば、正規識別体は、正規カード６ａからなる。正規カード６ａには、正規カード番号に関するデータが記憶される。正規利用者６は、入側カードリーダ５ａに正規カード６ａをかざす。この際、入側カードリーダ５ａは、正規カード６ａから正規カード番号に関するデータを読み取る。入側カードリーダ５ａは、当該データから正規カード６ａを識別する。正規カード６ａが認証された場合、電気錠４が一時的に解かれる。
【００１４】
一時利用者７は、一時識別体を携帯する。例えば、一時識別体は、一時カード７ａからなる。一時カード７ａには、一時カード番号に関するデータが記憶される。一時カード番号は、正規カード番号とは異なるように設定される。一時利用者７は、入側カードリーダ５ａに一時カード７ａをかざす。この際、入側カードリーダ５ａは、一時カード７ａから一時カード番号に関するデータを読み取る。入側カードリーダ５ａは、当該データから一時カード７ａを識別する。一時カード７ａが認証された場合、電気錠４が一時的に解かれる。
【００１５】
次に、図２を用いて、管理領域１に対する入退室システムを説明する。
図２はこの発明の実施の形態１における入退室システムの構成図である。
【００１６】
図２に示すように、電気錠４と入側カードリーダ５ａと出側カードリーダ５ｂとには、コントローラ８が接続される。コントローラ８には、センタ装置９が接続される。
【００１７】
コントローラ８は、認証用データ記憶部８ａ、一時カードデータ記憶部８ｂ、時間データ記憶部８ｃ、認証部８ｄ、制御部８ｅを備える。
【００１８】
認証用データ記憶部８ａは、正規カード番号に関する認証用データを記憶する。一時カードデータ記憶部８ｂは、一時カード番号に関する一時カードデータを記憶する。時間データ記憶部８ｃは、予め設定されたカウンタに関するデータを記憶する。
【００１９】
認証部８ｄは、利用者の認証処理を行う。例えば、認証部８ｄは、入側カードリーダ５ａが読み取ったデータと認証用データ記憶部８ａに記憶された認証用データとに基づいて認証処理を行う。例えば、認証部８ｄは、入側カードリーダ５ａが取ったデータと一時カードデータ記憶部８ｂに記憶された一時カードデータとに基づいて認証処理を行う。例えば、認証部８ｄは、出側カードリーダ５ｂが読み取ったデータと認証用データ記憶部８ａに記憶された認証用データとに基づいて認証処理を行う。例えば、認証部８ｄは、出側カードリーダ５ｂが読み取ったデータと一時カードデータ記憶部８ｂに記憶された一時カードデータとに基づいて認証処理を行う。
【００２０】
制御部８ｅは、電気錠４を制御する。例えば、制御部８ｅは、認証部８ｄの認証処理結果に基づいて、電気錠４を解く。例えば、制御部８ｅは、センタ装置９による遠隔操作による指示に基づいて電気錠４を解く。
【００２１】
次に、図３を用いて、一時カードデータを説明する。
図３はこの発明の実施の形態１における入退室システムに用いる一時カードデータを説明するための図である。
【００２２】
図３に示すように、一時カードデータは、一時カード番号とカウンタとが対応付けられる。
【００２３】
次に、図４を用いて、利用者が管理領域１の外部から内部へ入る際の入退室システムの動作を説明する。
図４はこの発明の実施の形態１における入退室システムの動作を説明するためのフローチャートである。
【００２４】
ステップＳ１では、入側カードリーダ５ａがカードからデータを読み取る。この際、コントローラ８において、認証部８ｄは、当該カードに対する認証処理を開始する。その後、ステップＳ２に進む。ステップＳ２では、コントローラ８において、認証部８ｄは、入側カードリーダ５ａが読み取ったデータと認証用データとを照合する。
【００２５】
ステップＳ２で入側カードリーダ５ａが読み取ったデータと認証用データとが一致した場合は、ステップＳ３に進む。ステップＳ３では、コントローラ８において、制御部８ｅは、電気錠４を解く。その後、動作が終了する。
【００２６】
ステップＳ２で入側カードリーダ５ａが読み取ったデータと認証用データとが一致しない場合は、ステップＳ４に進む。ステップＳ４では、コントローラ８において、認証部８ｄは、入側カードリーダ５ａが読み取ったデータと一時カードデータとを照合する。
【００２７】
ステップＳ４で入側カードリーダ５ａが読み取ったデータと一時カードデータの一時カード番号とが一致した場合は、ステップＳ３に進む。ステップＳ３では、コントローラ８において、制御部８ｅは、電気錠４を解く。その後、動作が終了する。
【００２８】
ステップＳ４で入側カードリーダ５ａが読み取ったデータと一時カードデータの一時カード番号とが一致しない場合は、ステップＳ５に進む。ステップＳ５では、コントローラ８において、制御部８ｅは、電気錠４が解かれているか否かを判定する。
【００２９】
ステップＳ５で電気錠４が解かれていない場合は、動作が終了する。
【００３０】
ステップＳ５で電気錠４が解かれている場合は、ステップＳ６に進む。ステップＳ６では、コントローラ８において、制御部８ｅは、入側カードリーダ５ａが読み取ったデータにカウンタに関するデータを対応付けて一時カードデータとする。制御部８ｅは、当該一時カードデータを一時カードデータ記憶部８ｂに記憶させる。その後、動作が終了する。
【００３１】
次に、図５を用いて、利用者が管理領域１の内部から外部へ出る際の入退室システムの動作を説明する。
図５はこの発明の実施の形態１における入退室システムの動作を説明するためのフローチャートである。
【００３２】
ステップＳ１１では、出側カードリーダ５ｂがカードからデータを読み取る。この際、コントローラ８において、認証部８ｄは、当該カードに対する認証処理を開始する。その後、ステップＳ１２に進む。ステップＳ１２では、コントローラ８において、認証部８ｄは、出側カードリーダ５ｂが読み取ったデータと認証用データとを照合する。
【００３３】
ステップＳ１２で出側カードリーダ５ｂが読み取ったデータと認証用データとが一致した場合は、ステップＳ１３に進む。ステップＳ１３では、コントローラ８において、制御部８ｅは、電気錠４を解く。その後、動作が終了する。
【００３４】
ステップＳ１２で出側カードリーダ５ｂが読み取ったデータと認証用データとが一致しない場合は、ステップＳ１４に進む。ステップＳ１４では、コントローラ８において、認証部８ｄは、出側カードリーダ５ｂが読み取ったデータと一時カードデータとを照合する。
【００３５】
ステップＳ１４で出側カードリーダ５ｂが読み取ったデータと一時カードデータの一時カード番号とが一致しない場合は、動作が終了する。
【００３６】
ステップＳ１４で出側カードリーダ５ｂが読み取ったデータと一時カードデータの一時カード番号とが一致した場合は、ステップＳ１５に進む。ステップＳ１５では、コントローラ８において、制御部８ｅは、出側カードリーダ５ｂが読み取ったデータに対応した一時カードデータを一時カードデータ記憶部８ｂから削除する。その後、ステップＳ１３に進む。ステップＳ１３では、コントローラ８において、制御部８ｅは、電気錠４を解く。その後、動作が終了する。
【００３７】
次に、図６を用いて、一時利用者７の認証後における入退室システムの動作を説明する。
図６はこの発明の実施の形態１における入退室システムの動作を説明するためのフローチャートである。
【００３８】
ステップＳ２１では、コントローラ８において、制御部８ｅは、一時カードデータが一時カードデータ記憶部８ｂに記憶されているか否かを判定する。
【００３９】
ステップ２１で一時カードデータが一時カードデータ記憶部８ｂに記憶されていない場合は、動作が終了する。
【００４０】
ステップ２１で一時カードデータが一時カードデータ記憶部８ｂに記憶されている場合は、ステップＳ２２に進む。ステップＳ２２では、コントローラ８において、制御部８ｅは、一時カードデータ記憶部８ｂにおいて先頭に記憶された一時カードデータを取得する。その後、ステップＳ２３に進む。ステップＳ２３では、コントローラ８において、制御部８ｅは、当該一時カードデータのカウンタが０か否かを判定する。
【００４１】
ステップＳ２３で該当一時カードデータのカウンタが０でない場合は、ステップＳ２４に進む。ステップＳ２４では、コントローラ８において、制御部８ｅは、当該一時カードデータのカウンタを１だけ減らす。
【００４２】
ステップＳ２３で該当一時カードデータのカウンタが０の場合は、ステップＳ２５に進む。ステップＳ２５では、コントローラ８において、制御部８ｅは、一時カードデータ記憶部８ｂから当該一時カードデータを削除する。
【００４３】
ステップＳ２４又はステップＳ２５の後は、ステップＳ２６に進む。ステップＳ２６では、コントローラ８において、制御部８ｅは、一時カードデータ記憶部８ｂに記憶された全ての一時カードデータがチェックされたか否かを判定する。
【００４４】
ステップＳ２６で全ての一時カードデータのチェックが終了していない場合は、ステップＳ２７に進む。ステップＳ２７では、コントローラ８において、制御部８ｅは、一時カードデータ記憶部８ｂにおいて次に記憶された一時カードデータを取得する。その後、ステップＳ２３に戻る。
【００４５】
ステップＳ２６で全ての一時カードデータのチェックが終了している場合は、動作が終了する。
【００４６】
以上で説明した実施の形態１によれば、制御部８ｅは、電気錠４が一時的に解かれている際に入側カードリーダ５ａが識別した一時カード７ａに対し、管理領域１へ入る権限を一時的に与える。このため、一時カード７ａに対し、管理領域１へ一時的に入る権限を容易に与えることができる。
【００４７】
例えば、制御部８ｅは、入側カードリーダ５ａが正規カード６ａを識別したことにより電気錠４が一時的に解かれている際に入側カードリーダ５ａが識別した一時カード７ａに対し、管理領域１へ入る権限を一時的に与える。このため、一時利用者７は、正規利用者６の案内により管理領域１に入ることができる。
【００４８】
例えば、遠隔操作により電気錠４が一時的に解かれている際に入側カードリーダ５ａが識別した一時カード７ａに対し、管理領域１へ入る権限を一時的に与えてもよい。この場合、一時利用者７は、正規利用者６の案内がない場合でも管理領域１に入ることができる。
【００４９】
なお、複数の一時カード７ａがほぼ同時に識別された場合は、これらの一時カード７ａに対し、管理領域１へ入る権限がほぼ同時に一時的に与えられる。このため、複数の一時カード７ａに対する権限を適切なタイミングで与えることができる。
【００５０】
また、制御部８ｅは、管理領域１へ入る権限を一時的に与えられた一時カード７ａが出側カードリーダ５ｂに識別された際に、当該一時カード７ａに対する当該権限を取り消す。このため、一時カード７ａに対する権限を適切なタイミングで取り消すことができる。
【００５１】
この場合、電気錠４が解かれている際に当該一時カード７ａが入側カードリーダ５ａに識別されれば、当該一時カード７ａに対し、管理領域１へ入る権限が一時的に与えられる。このため、一時カード７ａに対する権限を延長することができる。
【００５２】
また、制御部８ｅは、一時カード７ａに対し管理領域１へ入る権限が一時的に与えられてから予め設定された時間が経過した際に、当該一時カード７ａに対する当該権限を取り消す。このため、一時カード７ａに対する権限が必要以上に維持されることを防止できる。
【００５３】
なお、一時カード７ａは、入側カードリーダ５ａと出側カードリーダ５ｂとにより読み取れる一時カード番号を記憶していればよい。このため、一時カード７ａは、当該入退室システムでの利用を想定していないカードでもよい。
【符号の説明】
【００５４】
１  管理領域、  ２  出入口、  ３  扉、  ４  電気錠、  ５ａ  入側カードリーダ、  ５ｂ  出側カードリーダ、  ６  正規利用者、  ６ａ  正規カード、  ７  一時利用者、  ７ａ  一時カード、  ８  コントローラ、  ８ａ  認証用データ記憶部、  ８ｂ  一時カードデータ記憶部、  ８ｃ  時間データ記憶部、  ８ｄ  認証部、  ８ｅ  制御部、  ９  センタ装置
【図１】
2015114697.tif 000003
【図２】
2015114697.tif 000004
【図３】
2015114697.tif 000005
【図４】
2015114697.tif 000006
【図５】
2015114697.tif 000007
【図６】
2015114697.tif 000008